(57)【要約】【課題】表示装置において、映像設定におけるユーザの負担を軽減しつつ、ユーザにとってより好ましい設定値の選択を可能とする。【解決手段】表示装置は、映像設定に関する設定値に基づいて入力映像信号に対する補正処理を行うことで表示映像信号を生成する処理手段２と、入力映像信号の特徴量を検出する検出手段７と、該特徴量に応じて、設定値の推奨値を決定する決定手段１１と、該推奨値を提示する提示手段１４，２３とを有する。【選択図】図１
2011019073.tif 000002
【特許請求の範囲】
【請求項１】
映像設定に関する設定値に基づいて入力映像信号に対する補正処理を行うことで表示映像信号を生成する処理手段と、
前記入力映像信号の特徴量を検出する検出手段と、
前記特徴量に応じて、前記設定値の推奨値を決定する決定手段と、
該推奨値を表示する表示手段とを有することを特徴とする表示装置。
【請求項２】
前記設定値は記憶手段に記憶され、
前記表示手段は、前記記憶手段に記憶された前記設定値と前記決定手段により決定された前記推奨値をともに表示し、
ユーザによる前記推奨値を選択する操作に応じて、前記記憶手段に記憶された前記設定値を前記推奨値で更新することを特徴とする請求項１に記載の表示装置。
【請求項３】
前記表示手段は、前記推奨値の効果に関するガイド文を表示することを特徴とする請求項１又は２に記載の表示装置。
【請求項４】
前記決定手段によって決定された前記推奨値が変更されたときに、該変更があったことをユーザに通知する通知手段を有することを特徴とする請求項１から３のいずれか１つに記載の表示装置。
【発明の詳細な説明】
【技術分野】
【０００１】
本発明は、映像設定に関する設定値に基づく映像補正機能を有する表示装置に関する。
【背景技術】
【０００２】
テレビジョンやプロジェクタ等の表示装置は、入力された映像信号に対して、輝度、コントラスト、シャープネス等の画質をユーザの好みや使用目的に応じて調整する機能を有する。
また、表示装置に入力される映像信号には、ＮＴＳＣやハイビジョン等の映像信号だけでなく、パーソナルコンピュータからの信号やデジタル映像信号等の様々な形式の映像信号が含まれる。そしてこのような映像信号の多様化に加えて、表示装置の処理性能の向上により、表示装置に高度で複雑な映像補正機能が搭載されるようになり、映像設定に関する設定項目数も増加している。これにより、ユーザはより好ましい映像を鑑賞することが可能となっている。
【０００３】
ただし、映像設定に関する設定項目数が増加すると、ユーザにとっては多数の設定項目における設定や微調整を行うことが必要となり、負担が大きい。特許文献１には、映像信号の画質設定状態の設定値をテレビ番組の種別に応じて保存することで、番組の種別に応じた最適な画質調整を自動的に行う表示装置が開示されている。また、特許文献２には、映像信号の色成分や輝度成分に応じて補正パラメータを適応的に制御することで、細かな設定をユーザに強いる必要をなくすることが可能な映像補正装置が開示されている。
【先行技術文献】
【特許文献】
【０００４】
【特許文献１】特開２００２−１５８９４１号公報
【特許文献２】特許第３２０３９４６号公報
【発明の概要】
【発明が解決しようとする課題】
【０００５】
しかしながら、増加した映像設定に関する設定項目の全ての内容（機能）や設定値を変えることによる効果を一般的なユーザが把握することは困難である。このため、ユーザが把握していない設定項目の設定値がユーザにとって好ましくない値に自動的に設定されている可能性もあり得る。特許文献１，２では、そのような状況の発生は考慮されていない。
【０００６】
本発明は、映像設定におけるユーザの負担を軽減しつつ、ユーザにとってより好ましい設定値の選択を可能とする表示装置を提供する。
【課題を解決するための手段】
【０００７】
本発明の一側面としての表示装置は、映像設定に関する設定値に基づいて入力映像信号に対する補正処理を行うことで表示映像信号を生成する処理手段と、入力映像信号の特徴量を検出する検出手段と、該特徴量に応じて、設定値の推奨値を決定する決定手段と、該推奨値を提示する提示手段とを有することを特徴とする。
【発明の効果】
【０００８】
本発明によれば、入力映像信号の特徴量に応じた設定値の推奨値（推奨設定値）を決定して提示するようにしたので、映像設定におけるユーザの負担を軽減しつつ、ユーザにより好ましい設定値を任意に選択させることができる。
【図面の簡単な説明】
【０００９】
【図１】本発明の実施例である表示装置の構成を示すブロック図。
【図２】実施例における推奨設定ＯＳＤ表示処理のフローチャート。
【図３】実施例におけるガイドＯＳＤ表示処理のフローチャート。
【図４】実施例における設定値変更処理のフローチャート。
【図５】実施例における推奨設定ＯＳＤの例を示す図。
【図６】実施例におけるガイドＯＳＤの例を示す図。
【図７】実施例における推奨設定値更新通知ＯＳＤの例を示す図。
【発明を実施するための形態】
【００１０】
以下、本発明の実施例について図面を参照しながら説明する。
【実施例１】
【００１１】
図１には、本発明の実施例である表示装置の構成を示している。表示装置は、入力された映像信号（入力映像信号）に対して映像補正処理を行い、該映像補正処理後の映像信号（表示映像信号）を表示する。また、表示装置は、ユーザの操作に応じて、ＯＳＤ（オンスクリーンディスプレイ）の表示制御を行ったり、映像補正処理を制御するための設定値の更新を行ったりする。
【００１２】
上記表示装置における映像の表示動作についてさらに詳しく説明する。映像入力端子部１から表示装置に入力された入力映像信号は、映像補正部（処理手段）２に送られる。映像補正部２は、入力映像信号に対し、設定値メモリ（記憶手段）６に記憶された設定値に基づいて、ノイズ除去処理部３でのノイズ除去処理、自動白黒伸長処理部４での白黒伸長処理、アスペクト変換処理部５でのアスペクト変換処理を含む映像補正処理を行う。映像補正部２での映像補正処理後の表示映像信号は、映像表示部２３にて表示される。
【００１３】
次に、推奨設定値の決定動作について説明する。映像入力端子１からの入力映像信号は、映像特徴量検出部（検出手段）７に送られる。映像特徴量検出部７は、輝度分散値検出部８、高周波数成分検出部９および黒レベルオフセット検出部１０を含み、これらによって輝度分散値と高周波数成分量と黒レベルオフセットとからなる映像特徴量を検出する。検出された映像特徴量は、推奨設定値決定部（決定手段）１１に送られる。
推奨設定値決定部１１は、推奨設定値一覧作成部１２および推奨設定値メモリ１３を含む。推奨設定値一覧作成部１２は、推奨設定値メモリ１３に予め記憶された複数組の映像特徴量の中から、映像特徴量検出部７により検出された映像特徴量と一致又は最も類似した映像特徴量を探索する。そして、探索した映像特徴量に対応付けられて推奨設定値メモリ１３に記憶された推奨設定値（設定値の推奨値）を取得する。推奨設定値一覧作成部１２は、該取得された推奨設定値とその設定項目名とを一組として複数の設定項目とその推奨設定値を列記した推奨設定値一覧を作成する。
ここで、輝度分散値は自動白黒伸長処理部４での処理を行うか否かの判定に用いられる。また、高周波数成分量は、ノイズ除去処理部３の処理の強度を判定するために用いられる。さらに、黒レベルオフセットは、映像信号中の映像が表示されていない黒帯部分の面積から映像の有効領域のアスペクト比を判定するために用いられる。
次に、ＯＳＤ表示制御や設定値メモリ６に記憶された設定値の更新処理について説明する。映像設定ＯＳＤ制御部１４は、操作入力部１９からの操作命令に従って、ＯＳＤ表示制御や設定値メモリ６に記憶された設定値の更新処理を行う。映像設定ＯＳＤ制御部１４は、推奨設定ＯＳＤ生成部１５、ガイドＯＳＤ生成部１６、操作制御部１７および推奨設定項目一覧作成部１８を含む。
操作入力部１９から推奨設定ＯＳＤ表示命令が入力された操作制御部１７は、推奨設定項目一覧作成部１８から推奨設定項目一覧を取得する。推奨設定ＯＳＤ生成部１５は、該推奨設定項目一覧に基づいて推奨設定ＯＳＤを生成する。
推奨設定ＯＳＤが生成されると、映像表示部２３は、推奨設定ＯＳＤを表示映像信号に重畳して表示（提示）する。映像設定ＯＳＤ制御部１４および映像表示部２３により提示手段が構成される。
推奨設定項目一覧は、設定項目名とその現在の設定値（設定値メモリ６に記憶された設定値）と推奨設定値とを一組とする推奨設定項目を複数含む一覧である。推奨設定項目一覧は、推奨設定項目一覧作成部１８が、設定値メモリ６から各設定項目の現在の設定値を取得すると共に推奨設定値決定部１１から推奨設定値一覧を取得することで作成される。
【００１４】
さらに、推奨設定ＯＳＤ表示時に、操作入力部１９からの推奨設定項目選択命令が操作制御部１７に入力されると、ガイドＯＳＤ生成部１６は、設定項目の機能と推奨設定値の効果に関する説明（ガイド文）を含むガイドＯＳＤを生成する。映像表示部２３は、ガイドＯＳＤを表示映像信号に重畳して表示する。
【００１５】
さらに、推奨設定項目選択時に操作入力部１９からの設定値変更命令を受けた操作制御部１７は、選択された設定項目に対応して設定値メモリ６に記憶された設定値を、推奨設定値で更新する。
次に、推奨設定値更新通知について説明する。推奨設定値決定部１１から推奨設定値一覧が送られた推奨設定値更新検出部２０は、該送られてきた推奨設定値一覧（以下、新推奨設定値一覧という）と予め記憶していた推奨設定値一覧（以下、旧推奨設定値一覧という）とを比較する。推奨設定値更新検出部２０は、新推奨設定値一覧の中に旧推奨設定値一覧とは異なる推奨設定値（つまりは変更された推奨設定値）が存在していれば、推奨設定値更新通知部２１に推奨設定値が異なる設定項目を通知する。
推奨設定値更新通知部２１に含まれる推奨設定値更新通知ＯＳＤ生成部２２は、この通知に応じて、推奨設定値更新通知ＯＳＤを生成する。映像表示部２３は、設定値更新通知ＯＳＤを表示映像信号に重畳して表示する。
図２のフローチャートには、推奨設定ＯＳＤ制御部１４で行われる推奨設定ＯＳＤ表示処理を示している。
図２のステップＳ１において操作入力部１９から推奨設定ＯＳＤ表示命令が出力されると、ステップＳ２において、操作制御部１７は、推奨設定ＯＳＤ表示命令に応じて、推奨設定項目一覧作成部１８から推奨設定項目一覧を取得し、推奨設定ＯＳＤ生成部１５に送る。
次にステップＳ３では、推奨設定項目一覧が送られた推奨設定ＯＳＤ生成部１５は、該推奨設定項目一覧に基づいて推奨設定ＯＳＤを生成する。そして、ステップＳ４において、映像表示部２３は表示映像信号に推奨設定ＯＳＤを重畳して表示する。
図３のフローチャートには、推奨設定ＯＳＤ制御部１４で行われるガイドＯＳＤ表示処理を示している。
ステップＳ１０１において操作入力部１９からガイドＯＳＤ表示命令が出力されると、ステップＳ１０２において、操作制御部１７は、推奨設定ＯＳＤが表示中か否かを判断する。推奨設定ＯＳＤが表示中であれば、ステップＳ１０３において、ガイドＯＳＤ生成部１６がガイドＯＳＤを生成する。そして、ステップＳ１０４では、映像表示部２３は、表示映像信号にガイドＯＳＤを重畳して表示する。
図４のフローチャートには、推奨設定ＯＳＤ制御部１４で行われる設定値変更処理を示している。
ステップＳ２０１において操作入力部１９から設定値変更命令が出力されると、ステップＳ２０２において、操作制御部１７は、推奨設定ＯＳＤが表示中か否かを判断する。推奨設定ＯＳＤが表示中であれば、ステップＳ２０３において、操作制御部１７は、設定メモリ６に記憶されている設定値を推奨設定値で更新する。
図５には、推奨設定値をユーザに表示（提示）するためのインターフェースである推奨設定ＯＳＤの例を示している。この例では、左から、「設定項目名」と設定値メモリ６に現在記憶されている「設定値」と「推奨設定値」からなる推奨設定項目が複数組表示されている。
また、図６には、ガイドＯＳＤの表示例を示している。この例では、設定項目の１つである「アスペクト」の機能とその設定値を変更することの効果についてのガイド文とが表示されている。また、「設定を変更する」か「設定を変更しない」かを選択するためのボタンも表示されている。
図７には、推奨設定値更新通知ＯＳＤの例を示している。この例では、図５に示す「アスペクト」のガイドＯＳＤにおいて「設定を変更する」のボタンがクリック操作されたときに、「アスペクト」の推奨設定値が更新されたことを示す表示を行っている。
本実施例によれば、入力映像信号の特徴量を検出し、該検出結果に応じて映像設定における推奨設定値を決定して提示するようにしたので、映像設定におけるユーザの負担を軽減しつつ、ユーザにより好ましい設定値を任意に選択させることができる。
また、本実施例では、推奨設定値を入力映像信号の特徴量に対応付けて予め記憶するようにしたことで、各特徴量に対して設計者が好ましいと判断する設定値を推奨設定値としてユーザに提供することができる。さらに、記憶する推奨設定値をユーザの設定履歴に応じて変更するようにすれば、ユーザにとってより好ましい設定値を推奨設定値として提供することができる。
さらに、本実施例では、入力映像信号の輝度成分の分散値を入力映像信号の特徴量として自動白黒伸長処理に関する推奨設定値を決定する。これにより、映像中の輝度の分布に応じて白黒伸長処理に関する設定の調整をする手間を低減することができる。
また、本実施例では、入力映像信号の周波数成分中の高周波数成分量を入力映像信号の特徴量としてノイズ除去に関する推奨設定値を決定する。これにより、映像中の高周波数成分量に応じてノイズ除去処理に関する設定の調整をする手間を低減することができる。
また、本実施例では、ユーザ操作によって映像設定に関するＯＳＤを制御することで、ＯＳＤを通じてユーザに推奨設定値を提示することができ、さらに設定項目の機能や設定値を変更した場合の効果等をユーザに明確に理解させることができる。
なお、映像設定項目を一覧表示し、かつ選択された映像設定項目の設定値を一覧表示する映像設定ＯＳＤにおいて、推奨設定値を持つ映像設定項目と推奨設定値を強調表示してもよい。これにより、ユーザに映像設定項目の存在を気付かせるとともに、推奨設定値を分かりやすく提示することができる。
また、映像設定項目を一覧表示し、かつ選択された映像設定項目の設定値を一覧表示する映像設定ＯＳＤにおいて、推奨設定値を持つ映像設定項目が選択された場合に該映像設定項目の機能と推奨設定値を選択したときの効果を説明するＯＳＤを表示してもよい。これにより、ユーザが設定を変更しようとした設定項目に対して推奨設定値を提示することができるとともに、映像設定項目の機能や推奨設定値の効果を理解させることができる。
さらに、推奨設定値が存在する映像設定項目に対してその項目名と推奨設定値と現在の設定値を表示し、かつ項目が選択されたときにその項目の機能と推奨設定値の効果を説明するＯＳＤを表示してもよい。これにより、ユーザに推奨設定値がある全ての映像設定項目の存在と推奨設定値を明示することができ、さらには映像設定項目の機能や推奨設定値の効果を理解させることができる。
また、上記実施例では、推奨設定値が更新されたことをユーザに通知する。これにより、該更新をユーザに認識させることができるとともに、設定値を変更するかどうかを映像を見ながら判断させることができる。該通知をＯＳＤを通じて行えば、推奨設定値が更新された映像設定項目名を表示してユーザに該設定値を変更するかどうかを判断し易くすることができる。
なお、推奨設定値が更新されたことを、表示装置に取り付けたＬＥＤの点灯や点滅を通じて、または表示装置に取り付けたスピーカーからの音声出力によってユーザに通知してもよい。また、推奨設定値が更新されたときに、映像設定ＯＳＤが自動的に表示されるようにしてもよい。
以上説明した各実施例は代表的な例にすぎず、本発明の実施に際しては、各実施例に対して種々の変形や変更が可能である。
【産業上の利用可能性】
【００１６】
映像設定におけるユーザの負担を軽減しつつ、ユーザにとってより好ましい設定値の選択を可能とする表示装置を提供することができる。
【符号の説明】
【００１７】
１  映像入力端子部
２  映像補正部
６  設定値メモリ
７  映像特徴量検出部
１１  推奨設定値決定部
１４  映像設定ＯＳＤ制御部
１９  操作入力部
２０  推奨設定値更新検出部
２１  推奨設定値更新通知部
２３  映像表示部
【図１】
2011019073.tif 000003
【図２】
2011019073.tif 000004
【図３】
2011019073.tif 000005
【図４】
2011019073.tif 000006
【図５】
2011019073.tif 000007
【図６】
2011019073.tif 000008
【図７】
2011019073.tif 000009